(57)【要約】【課題】製造コスト及び寸法の増大を抑制しつつ、紫外線による劣化を抑制することが可能な除菌装置を提供する。【解決手段】本発明の一態様に係る除菌装置は、発光部を有する除菌ランプと、端部に設けられた開口を有し、かつ、内部に除菌ランプを収納する筒状の本体部と、本体部の開口に取り付けられ、かつ、樹脂材料により形成された蓋部材と、遮光部材とを備える。本体部は、蓋部材よりも紫外線により劣化しにくい材料により形成される。蓋部材は、内周面を有する。内周面の少なくとも一部は、発光部と対向する。遮光部材は、内周面のうち、発光部と対向する部分を覆っている。【選択図】図２
2019018123.tif 000002
【特許請求の範囲】
【請求項１】
発光部を有する除菌ランプと、
端部に設けられた開口を有し、かつ内部に前記除菌ランプを収納する筒状の本体部と、
前記本体部の前記開口に取り付けられ、かつ樹脂材料により形成された蓋部材と、
遮光部材とを備え、
前記本体部は、前記蓋部材よりも紫外線により劣化しにくい材料により形成され、
前記蓋部材は、内周面を有し、
前記内周面の少なくとも一部は、前記発光部と対向し、
前記遮光部材は、前記内周面のうち、前記発光部と対向する部分を覆っている、除菌装置。
【請求項２】
前記本体部は、前記端部に位置し、かつ前記蓋部材に嵌入される縮管部を有し、
前記縮管部は、前記遮光部材を構成する、請求項１に記載の除菌装置。
【請求項３】
前記蓋部材は、前記開口に嵌入される嵌入部を有し、
前記嵌入部に位置する前記内周面の少なくとも一部は、前記発光部と対向し、
前記遮光部材は、前記内周面の上に成膜され、かつ前記蓋部材よりも紫外線により劣化しにくい材料により形成された保護膜である、請求項１に記載の除菌装置。
【請求項４】
前記保護膜は、めっき膜である、請求項３に記載の除菌装置。
【請求項５】
前記保護膜は、紫外線を反射する塗料により形成された塗膜である、請求項３に記載の除菌装置。
【請求項６】
前記蓋部材は、除菌対象となる流体が出入する接続口を有し、
前記接続口は、前記発光部と対向しない位置に配置される、請求項１〜請求項５のいずれか１項に記載の除菌装置。
【請求項７】
循環経路と、
前記循環経路上に配置される請求項１〜請求項６のいずれか１項に記載の前記除菌装置とを備える、温水装置。
【発明の詳細な説明】
【技術分野】
【０００１】
本発明は、除菌装置及び温水装置に関する。
【背景技術】
【０００２】
従来から、実用新案登録第２５１７７８４号公報（特許文献１）に記載の紫外線殺菌処理装置が知られている。
【０００３】
特許文献１に記載の紫外線殺菌処理装置は、処理タンクと、紫外線ランプと、円筒と、蓋体とを有している。処理タンクは、合成樹脂で形成されている。処理タンクは、給水口と排水口とを有している。紫外線ランプは、外周面が保護管により被覆され、かつ処理タンク内に挿入されている。円筒は、処理タンクの内壁面に嵌合されている。円筒は、チタン−ステンレス、アルミ−テフロン（登録商標）等で形成されている。蓋体は、処理タンクの端部に設けられた開口に嵌入されている。
【先行技術文献】
【特許文献】
【０００４】
【特許文献１】実用新案登録第２５１７７８４号公報
【発明の概要】
【発明が解決しようとする課題】
【０００５】
特許文献１に記載の紫外線殺菌処理装置おいては、処理タンクの内壁面全体が、耐紫外線材料からなる円筒で覆われている。そのため、処理タンクを構成する合成樹脂の紫外線による劣化が防止されている。
【０００６】
しかしながら、特許文献１に記載の紫外線殺菌処理装置においては、処理タンクの内壁面全体が円筒で覆われている。そのため、特許文献１に記載の紫外線殺菌処理装置の製造コストは、増加する。
【０００７】
さらに、特許文献１に記載の紫外線殺菌処理装置においては、蓋体の下端が紫外線ランプの発光部に達する位置まで嵌入されていない。このような構造上、特許文献１に記載の紫外線殺菌処理装置は、寸法が大きくなってしまう。
【０００８】
加えて、特許文献１に記載の紫外線殺菌処理装置においては、給水口及び排水口は、円筒により覆われていない。したがって、特許文献１に記載の紫外線殺菌処理装置においては、給水口及び排水口の部分が紫外線により劣化しやすい。
【０００９】
本発明は、上記の従来技術の問題点に鑑みてなされたものである。より具体的には、本発明は、製造コスト及び寸法の増大を抑制しつつ、紫外線による劣化を抑制することが可能な除菌装置及び温水装置を提供する。
【課題を解決するための手段】
【００１０】
本発明の一態様に係る除菌装置は、発光部を有する除菌ランプと、端部に設けられた開口を有し、かつ内部に除菌ランプを収納する筒状の本体部と、本体部の開口に取り付けられ、かつ樹脂材料により形成された蓋部材と、遮光部材とを備える。本体部は、蓋部材よりも紫外線により劣化しにくい材料により形成される。蓋部材は、内周面を有する。内周面の少なくとも一部は、発光部と対向する。遮光部材は、内周面のうち、発光部と対向する部分を覆っている。
【００１１】
本発明の一態様に係る除菌装置においては、本体部は蓋部材よりも紫外線により劣化しにくい材料で構成されている。そのため、本体部の内壁を、耐紫外線性を有する材料で被覆する必要がない。そのため、本発明の一態様に係る除菌装置によると、製造コストの増加を抑制することができる。
【００１２】
また、本発明の一態様に係る除菌装置において、蓋部材は、内周面が除菌ランプの発光部と対向するように、本体部に取り付けられている。そのため、本体部と重なり合う蓋部材の部分が広くなる。そのため、本発明の一態様に係る除菌装置によると、寸法の増大を抑制することができる。本発明の一態様に係る除菌装置においては、発光部と対向する内周面が、遮光部材により覆われている。そのため、本発明の一態様に係る除菌装置によると、蓋部材の紫外線による劣化を抑制することができる。
【００１３】
上記の除菌装置において、本体部は、端部に位置し、かつ蓋部材に嵌入される縮管部を有していてもよい。縮管部は、遮光部材を構成していてもよい。
【００１４】
遮光部材を別部材とした場合、除菌装置を組み立てる際に、遮光部材を取り付けるための工程が必要となる。すなわち、遮光部材を別部材とした場合、組立の工程数が増加する。上記の除菌装置においては、本体部の端部に位置する縮管部が遮光部材を構成しているため、遮光部材を取り付けるために別工程を要しない。そのため、本体部の端部に位置する縮管部が遮光部材を構成している場合、組立工程の複雑化を回避することができる。
【００１５】
上記の除菌装置において、本体部は、開口に嵌入される嵌入部を有していてもよい。嵌入部に位置する内周面の少なくとも一部は、発光部に対向していてもよい。遮光部材は、内周面の上に成膜され、かつ蓋部材よりも紫外線により劣化しにくい材料により形成された保護膜であってもよい。保護膜は、めっき膜であってもよい。保護膜は、紫外線を反射する塗料により形成されていてもよい。
【００１６】
遮光部材を蓋部材の内周面の上に成膜された保護膜とした場合、除菌装置を組み立てる際に、遮光部材を取り付けるための別工程を要しない。そのため、この場合には、組立工程の複雑化を回避することができる。
【００１７】
上記の除菌装置において、蓋部材は、除菌対象となる流体が出入する接続口を有していてもよい。接続口は、発光部と対向しない位置に配置されていてもよい。
【００１８】
接続口が発光部と対向しない位置に配置されている場合、除菌ランプからの紫外線が、接続口から漏出しない。そのため、この場合には、接続口に連結される配管の紫外線による劣化を抑制することができる。
【００１９】
本発明の一態様に係る温水装置は、循環経路と、循環経路上に配置される上記の除菌装置とを備える。
【発明の効果】
【００２０】
本発明の一態様に係る除菌装置によると、製造コスト及び寸法の増大を抑制しつつ、紫外線による劣化を抑制することができる。
【図面の簡単な説明】
【００２１】
【図１】実施形態１に係る除菌装置の斜視図である。
【図２】図１のＩＩ−ＩＩにおける断面図である。
【図３】実施形態２に係る除菌装置の断面図である。
【図４】実施形態に係る温水装置の模式図である。
【発明を実施するための形態】
【００２２】
（実施形態１）
以下に、実施形態１に係る除菌装置の構成を、図１及び図２を参照して説明する。
【００２３】
図１に示すように、実施形態１に係る除菌装置は、本体部１と、除菌ランプ２と、蓋部材３とを有している。蓋部材３は、一対となる第１の蓋部材３ａと第２の蓋部材３ｂとから構成されている。後述のとおり、実施形態１に係る除菌装置は、遮光部材４を有している。実施形態１に係る除菌装置は、固定部材５をさらに有していてもよい。
【００２４】
本体部１は、筒状の形状を有している。好ましくは、本体部１は、円筒状の形状を有している。すなわち、本体部１の中心軸線Ａに垂直な方向における断面は、環状形状であることが好ましい。本体部１には、紫外線を透過させず、かつ耐紫外線性を有する材料が用いられる。すなわち、本体部１は、蓋部材３よりも紫外線により劣化しにくい材料で形成されている。本体部１には、紫外線を反射させる材料が用いられることが好ましい。具体的には、本体部１には、金属材料が用いられる。本体部１に用いられる金属材料は、例えばステンレス鋼等である。
【００２５】
図２に示すように、本体部１の内部には、除菌ランプ保護管１１が設けられている。除菌ランプ保護管１１は、本体部１の内部を流れる流体から除菌ランプ２を保護するための部材である。除菌ランプ保護管１１は、好ましくは円筒形状を有している。除菌ランプ保護管１１は、本体部１より長さが長い。除菌ランプ保護管１１は、除菌ランプ２から照射される紫外光に対して透明である。除菌ランプ保護管１１には、例えば石英ガラスが用いられる。
【００２６】
本体部１の内部には、流路１２が設けられている。より具体的には、流路１２は、除菌ランプ保護管１１の外周面と本体部１の内壁面とにより画される空間である。流路１２には、除菌対象となる流体（例えば、湯水）が流れる。
【００２７】
本体部１は、端部１３を有している。端部１３は、本体部１の中心軸線Ａに平行な方向の端に位置する部分である。端部１３において、本体部１は、開口１４を有している。本体部１は、縮管部１５を有していてもよい。縮管部１５は、端部１３に位置している。本体部１は、縮管部１５において、縮管している。すなわち、縮管部１５における本体部１の内径は、縮管部１５以外における本体部１の内径よりも小さく、縮管部１５における本体部１の外径は、縮管部１５以外における本体部１の外径よりも小さい。縮管部１５は、例えば本体部１の端部を金型で挟み込んで加圧成形することにより、形成される。
【００２８】
除菌ランプ２は、流体を除菌する紫外線を放出するランプである。例えば、除菌ランプ２は、紫外線を放出する蛍光灯である。除菌ランプ２は、紫外線を放出するＬＥＤ（Light  Emitting  Diode）であってもよい。すなわち、除菌ランプ２は、流体を除菌するランプであれば特に限定されない。除菌ランプ２は、本体部１の内部に配置されている。より具体的には、除菌ランプ２は、除菌ランプ保護管１１の内部に挿入されている。
【００２９】
除菌ランプ２は、本体部１の中心軸線Ａに平行な方向に沿って延伸している。除菌ランプ２は、電装部２１と、発光部２２とを有している。電装部２１は、ソケット、電装部品等が取り付けられている部分である。そのため、電装部２１からは、紫外線が放出されない。電装部２１は、除菌ランプ２の端部に配置されている。発光部２２は、紫外線が放出される部分である。
【００３０】
第１の蓋部材３ａは、内側面３１と、外側面３２と、外周面３３と、内周面３４とを有している。内側面３１は、本体部１側の端面である。外側面３２は、内側面３１の反対側の面である。外周面３３は、第１の蓋部材３ａの外周側に位置している面である。内周面３４は、第１の蓋部材３ａの内周側に位置している面である。
【００３１】
外周面３３には、入水側接続口３３ａが設けられていることが好ましい。入水側接続口３３ａは、外周面３３上において、除菌ランプ２の発光部２２と対向しない位置に配置されていることがさらに好ましい。入水側接続口３３ａは、内部が中空の筒状形状を有している。そのため、入水側接続口３３ａには、配管（図示せず）が接続可能となっている。この配管は、通常、樹脂材料により構成されている。入水側接続口３３ａは、本体部１の中心軸線Ａからオフセットしていることが好ましい。
【００３２】
第１の蓋部材３ａは、開口１４に取り付けられている。第１の蓋部材３ａは、内周面３４の少なくとも一部が、発光部２２と対向するように取り付けられている。ここで、内周面３４と発光部２２が対向するとは、内周面３４と発光部２２とが、本体部１の径方向において向かい合って配置されていることをいう。より具体的には、第１の蓋部材３ａは、縮管部１５が取り付け部３５に嵌入されることにより、本体部１に取り付けられている。このことを別の観点からいえば、取り付け部３５に位置する内周面３４のうち、発光部２２と対向している部分が、縮管部１５と対向している。
【００３３】
取り付け部３５に位置する内周面３４と本体部１の外壁面との間には、シール部材３６が配置されている。シール部材３６は、例えば、Оリングである。これにより、取り付け部３５に位置する内周面３４と本体部１の外壁面とが水密に封止され、除菌対象となる流体の流出が防止されている。
【００３４】
第１の蓋部材３ａの内部には、キャビティ３７が設けられている。キャビティ３７は、第１の蓋部材３ａの内側面３１側に開口している。すなわち、キャビティ３７は、流路１２に連通している。キャビティ３７は、入水側接続口３３ａにも連通している。キャビティ３７の内径は、除菌ランプ保護管１１の外径よりも大きい。すなわち、キャビティ３７の内壁と除菌ランプ保護管１１の外周面との間には、空間が形成されている。そのため、配管から導入される除菌対象となる流体は、入水側接続口３３ａ及びキャビティ３７を介して本体部１の内部に設けられた流路１２に流れる。
【００３５】
第１の蓋部材３ａの外側面３２側には、ランプ挿入穴３８が設けられている。ランプ挿入穴３８からは、除菌ランプ２が本体部１の内部に挿入される。そのため、ランプ挿入穴３８の内径は、除菌ランプ２の外径よりも大きくなっている。なお、好ましくは、ランプ挿入穴３８は、第１の蓋部材３ａ及び第２の蓋部材３ｂの少なくともいずれか一方に設けられる。
【００３６】
ランプ挿入穴３８には、除菌ランプ保護管１１の端部が挿入されている。ランプ挿入穴３８に位置する内周面３４と除菌ランプ保護管１１の外周面との間に、シール部材３９が配置されている。シール部材３９は、例えばＯリングである。これにより、第１の蓋部材３ａの内周面３４と除菌ランプ保護管１１の外周面とが水密に封止され、除菌対象となる流体の流出が防止されている。
【００３７】
遮光部材４は、内周面３４を覆うように配置されている。遮光部材４は、内周面３４の全てを覆っている必要はない。遮光部材４は、少なくとも、内周面３４のうち、除菌ランプ２の発光部２２と対向している部分を覆っていればよい。より具体的には、遮光部材４は、取り付け部３５に位置する内周面３４のうち、発光部２２と対向している部分を覆っていればよい。
【００３８】
上記のとおり、取り付け部３５に位置し、かつ発光部２２と対向する内周面３４は、縮管部１５と対向している。そのため、遮光部材４は、縮管部１５により構成することができる。すなわち、遮光部材４は、本体部１と一体に構成されていてもよい。
【００３９】
遮光部材４には、耐紫外線性を有する材料が用いられる。遮光部材４に用いられる材料は、紫外線を反射するものであってもよい。遮光部材４に用いられる材料の具体例は、ステンレス鋼等の金属材料である。
【００４０】
第２の蓋部材３ｂは、入水側接続口３３ａに代えて出水側接続口３３ｄを有している点を除いて、第１の蓋部材３ａと同様の構成を有している。好ましくは、第２の蓋部材３ｂは、第１の蓋部材３ａと同一形状を有している。
【００４１】
第１の蓋部材３ａ及び第２の蓋部材３ｂには、樹脂材料が用いられている。この樹脂材料は、例えばＳＰＳ（シンジオタクチックポリスチレン）等である。
【００４２】
固定部材５は、中心軸線Ａの方向から、第１の蓋部材３ａ及び第２の蓋部材３ｂと本体部１とを挟持するように配置されている。これにより、第１の蓋部材３ａ及び第２の蓋部材３ｂは、本体部１に固定されている。固定部材５は、中央部５１と、固定部５２とを有している。中央部５１は、固定部材５の中央に位置し、本体部１の中心軸線Ａの方向に沿って延在している。固定部５２は、第１の蓋部材３ａ及び第２の蓋部材３ｂの外側面３２にビス等で固定されている。
【００４３】
固定部材５は、例えば、一枚の板状の部材に対して、プレス金型を用いた曲げ加工を行うことにより形成される。固定部材５には、例えばＳＧＣＣ（溶融亜鉛めっき鋼板）が用いられる。
【００４４】
以下に、実施形態１に係る除菌装置の動作を説明する。
実施形態１に係る除菌装置の入水側接続口３３ａから本体部１の内部に、除菌対象となる流体が供給される。この供給された除菌対象となる流体は、本体部１の内部において流路１２を流れる。
【００４５】
除菌対象となる流体が流路１２を流れている間、除菌対象となる流体には、除菌ランプ２から紫外線が照射される。これにより、除菌対象となる流体中に含まれる雑菌が除菌される。
【００４６】
以下に、実施形態１に係る除菌装置の効果を説明する。
上記のとおり、実施形態１に係る除菌装置においては、蓋部材３は、内周面３４の少なくとも一部が除菌ランプ２の発光部２２と対向するように、本体部１に取り付けられている。その結果、本体部１と重なり合う蓋部材３の部分が広くなる。そのため、実施形態１に係る除菌装置によると、除菌装置を低背化する（除菌装置の中心軸線Ａに平行な方向における寸法を小さくする）ことができる。
【００４７】
このことを別の観点からいえば、実施形態１に係る除菌装置においては、高背化させることなく取り付け部３５と本体部１との間にシール部材３６を配置するための領域を確保することができ、蓋部材３と本体部１との間の水密性を高めることができる。
【００４８】
実施形態１に係る除菌装置においては、内周面３４のうち、除菌ランプ２の発光部２２と対向している部分が、遮光部材４により覆われている。そのため、実施形態１に係る除菌装置によると、除菌装置を低背化しつつ、蓋部材３の紫外線による劣化を抑制することができる。
【００４９】
実施形態１に係る除菌装置においては、本体部１が蓋部材３より紫外線により劣化しにくい材料で形成されている。そのため、本体部１を、耐紫外線性材料により被覆する必要がない。そのため、実施形態１に係る除菌装置によると、除菌装置の製造コストを低減することができる。
【００５０】
実施形態１に係る除菌装置において、本体部１が縮管部１５を有し、かつ縮管部１５が遮光部材４を構成している場合、遮光部材４を別部材とする必要がない。そのため、この場合には、遮光部材４を組み付けるための工程が不要となる。また、この場合、遮光部材４が本体部１と一体に形成されているため、蓋部材３から脱落するおそれはない。
【００５１】
さらに、本体部１が縮管部１５を有し、かつ縮管部１５が遮光部材４を構成している場合、蓋部材３に遮光部材４を固定するための構造が不要となる。そのため、この場合、蓋部材３を小型化することができ、ひいては除菌装置をさらに低背化することができる。加えて、この場合には、流路１２を流れる湯水が遮光部材４（縮管部１５）と蓋部材３の内周面３４との間の隙間に流れ込みにくくすることができる。
【００５２】
実施形態１に係る除菌装置において、入水側接続口３３ａ及び出水側接続口３３ｄが除菌ランプ２の発光部２２と対向しない位置に配置されている場合、除菌ランプ２から発せられた紫外線が、入水側接続口３３ａ及び出水側接続口３３ｄに連結される配管に到達しがたい。そのため、この場合には、配管の紫外線による劣化を抑制することができる。
【００５３】
（実施形態２）
以下に、実施形態２に係る除菌装置の構成を、図３を参照して説明する。なお、以下においては、実施形態１に係る除菌装置の構成と異なる点を主に説明し、重複する説明は繰り返さない。
【００５４】
実施形態２に係る除菌装置は、本体部１と、除菌ランプ２と、蓋部材３と、遮光部材４と、固定部材５とを有している。蓋部材３は、開口１４において、本体部１に取り付けられている。内周面３４の少なくとも一部は、発光部２２と対向している。遮光部材４は、内周面３４のうち、発光部２２と対向する部分を覆っている。これらの点について、実施形態２に係る除菌装置の構成は、実施形態１に係る除菌装置の構成と共通している。
【００５５】
実施形態２に係る除菌装置は、取り付け部３５に代えて、嵌入部３５ａを有している。また、実施形態２に係る除菌装置において、遮光部材４は、保護膜４ａである。これらの点について、実施形態２に係る除菌装置の構成は、実施形態１に係る除菌装置の構成と異なっている。
【００５６】
嵌入部３５ａは、本体部１の内部に位置している。嵌入部３５ａは、本体部１の内径に略等しい外径を有している。第１の蓋部材３ａは、すなわち、蓋部材３は、嵌入部３５ａが本体部１の開口１４に嵌入されることにより、本体部１に取り付けられる。嵌入部３５ａに位置する内周面３４の一部は、除菌ランプ２の発光部２２と対向している。
【００５７】
保護膜４ａは、嵌入部３５ａに位置する内周面３４の上に成膜されている。保護膜４ａは、少なくとも、発光部２２と対向している嵌入部３５ａに位置する内周面３４を覆っている。保護膜４ａは、内側面３１の上にも成膜されていてもよい。保護膜４ａは、紫外線を透過させず、かつ耐紫外線性を有する材料が用いられる。すなわち、保護膜４ａは、蓋部材３よりも紫外線により劣化しにくい材料で形成されている。
【００５８】
保護膜４ａは、例えばめっき膜である。保護膜４ａは、反射率が高いめっき膜により構成されていることが好ましい。保護膜４ａは、耐食性の高いめっき膜により構成されていることが好ましい。より具体的には、保護膜４ａは、クロム（Ｃｒ）めっき膜であってもよい。保護膜４ａは、塗膜であってもよい。この塗膜は、紫外線を反射する塗料により形成されていてもよい。紫外線を反射する塗料は、例えばアルミニウム（Ａｌ）顔料を含有している塗料である。
【００５９】
以下に、実施形態２に係る除菌装置の効果を説明する。なお、以下においては、実施形態１に係る除菌装置と異なる効果について説明し、重複する説明は繰り返さない。
【００６０】
上記のとおり、保護膜４ａは、嵌入部３５ａに位置する内周面３４の上に成膜されている。すなわち、実施形態２に係る除菌装置においては、蓋部材３と遮光部材４とが一体化されている。そのため、実施形態２に係る除菌装置においては、遮光部材４を組み付けるための工程が必要なく、遮光部材４が蓋部材３から脱落しがたい。
【００６１】
（実施形態３）
以下に、実施形態３に係る温水装置の一例としての給湯装置の構成を、図４を参照して説明する。実施形態３に係る温水装置は、給湯経路６１と、風呂循環経路６２と、注湯経路６３とを有している。
【００６２】
給湯経路６１は、上水を加熱する経路である。給湯経路６１は、配管６１ａと、配管６１ｂと、熱交換器６１ｃとを有している。配管６１ａの一方端は、上水道に接続されている。配管６１ａの他方端は、熱交換器６１ｃの一方端に接続されている。熱交換器６１ｃの他方端は、配管６１ｂの一方端に接続されている。配管６１ｂの他方端は、カラン等に接続されている。熱交換器６１ｃの近傍には、バーナ６１ｄが配置されている。
【００６３】
風呂循環経路６２は、浴槽７中の湯水を加熱する経路である。風呂循環経路６２は、配管６２ａと、配管６２ｂと、配管６２ｃと、除菌装置６２ｄと、熱交換器６２ｅとを有している。除菌装置６２ｄは、上記の実施形態１又は２に係る除菌装置である。
【００６４】
配管６２ａの一方端は、除菌装置６２ｄの入水側接続口３３ａに接続されている。配管６２ａの他方端は、循環アダプタ７１に接続されている。除菌装置６２ｄの出水側接続口３３ｄは、配管６２ｂの一方端に接続されている。配管６２ｂの他方端は、熱交換器６２ｅの一方端に接続されている。熱交換器６２ｅの他方端は、配管６２ｃの一方端に接続されている。配管６２ｃの他方端は、循環アダプタ７１に接続されている。熱交換器６２ｅの近傍には、バーナ６２ｆが配置されている。なお、配管６２ａ上には、循環ポンプ６２ｇが設けられている。なお、除菌装置６２ｄを給湯装置の筐体に取り付ける際には、固定部材５の中央部５１が取り付けのためのガイドとなる。
【００６５】
注湯経路６３は、給湯経路６１から風呂循環経路６２に湯水を流入させる経路である。注湯経路６３の一方端は、給湯経路６１に接続されている。より具体的には、注湯経路６３の一方端は、配管６１ｂに接続されている。注湯経路６３の他方端は、風呂循環経路６２に接続されている。より具体的には、注湯経路６３の他方端は、配管６２ａに接続されている。注湯経路６３上には、注湯弁６３ａが設けられている。
【００６６】
循環アダプタ７１は、浴槽７内に設けられている。循環アダプタ７１は、吐出口と吸込口とを有している。
【００６７】
以下に、実施形態３に係る温水装置の動作を説明する。
まず、給湯動作について説明する。供給された上水は、配管６１ａを介して熱交換器６１ｃに供給される。熱交換器６１ｃに供給された上水は、熱交換器６１ｃにおいて加熱されて湯となる。この湯は、配管６１ｂを介してカラン等へ供給される。
【００６８】
次に、湯張り動作について説明する。供給された上水は、配管６１ａを介して熱交換器６１ｃに供給される。熱交換器６１ｃに供給された上水は、熱交換器６１ｃにおいて加熱されて湯となる。湯張り動作を行っている際には、注湯弁６３ａは開状態となっている。そのため、この湯は、注湯経路６３、配管６２ｃおよび循環アダプタ７１の吐出口を介して浴槽７に供給される。
【００６９】
さらに、除菌動作について説明する。循環ポンプ６２ｇにより、循環アダプタ７１の吸込口から、浴槽７の湯が図中の矢印の方向に吸い上げられる。この吸い上げられた湯は、配管６２ａを介し、除菌装置６２ｄに供給される。除菌装置６２ｄに供給された湯は、除菌装置６２ｄにおいて除菌される。この除菌された湯は、配管６２ｂ、熱交換器６２ｅ、配管６２ｃ、及び循環アダプタ７１の吐出口を介して、浴槽７に戻される。これにより、浴槽７内の湯の除菌が行われる。なお、除菌装置６２ｄにおいて除菌された湯は、熱交換器６２ｅにおいて昇温されてもよい。すなわち、除菌動作は、追い焚き動作中に行われてもよい。
【００７０】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【産業上の利用可能性】
【００７１】
各実施形態は、除菌装置及び除菌装置を有する温水装置に特に有利に適用される。
【符号の説明】
【００７２】
１  本体部、１１  除菌ランプ保護管、１２  流路、１３  端部、１４  開口、１５  縮管部、２  除菌ランプ、２１  電装部、２２  発光部、３  蓋部材、３ａ  第１の蓋部材、３ｂ  第２の蓋部材、３１  内側面、３２  外側面、３３  外周面、３３ａ  入水側接続口、３３ｂ  溝、３３ｃ  凸部、３３ｄ  出水側接続口、３４  内周面、３５  取り付け部、３５ａ  嵌入部、３６  シール部材、３７  キャビティ、３８  ランプ挿入穴、３９  シール部材、４  遮光部材、４ａ  保護膜、５  固定部材、５１  中央部、５２  固定部、６１  給湯経路、６１ａ，６１ｂ，６２ａ，６２ｂ，６２ｃ  配管、６１ｃ，６２ｅ  熱交換器、６１ｄ，６２ｆ  バーナ、６２  風呂循環経路、６２ｄ  除菌装置、６２ｇ  循環ポンプ、６３  注湯経路、６３ａ  注湯弁、７  浴槽、７１  循環アダプタ、Ａ  中心軸線。
【図１】
2019018123.tif 000003
【図２】
2019018123.tif 000004
【図３】
2019018123.tif 000005
【図４】
2019018123.tif 000006